(57)【要約】【課題】  水漏れを検出する感度や正確性の高い水漏れ検出方法、および水漏れ検出器を提供する。【解決手段】  本発明の水漏れ検出器は、２つの開放端子と２つの接続端子とを有する２つの分離した導線を備えたセンサーと、センサーに検出信号を供給するための信号発信器と、２つの接続端子のうちの負端子に電気的に接続された制御部とから構成されている。２つの分離した導線間で水漏れが検出されると、負端子でアナログ信号が発生される。上記制御部は上記アナログ信号をデジタル信号に変換し、このデジタル信号によって警報器または警報灯が作動される。【選択図】  図２
2005012746.tif 000002
【特許請求の範囲】
【請求項１】
（ａ）水漏れが発生しているかどうかを、２つの開放端子と２つの接続端子とを備えた２つの分離した導線を有している、センサーによって検出し、
検出信号を２つの接続線を経由して制御部によってセンサーに供給するステップと、
（ｂ）水漏れが２つの分離した導線間で検出された場合、第１のアナログ信号を、２つの接続端子のうちの負端子で発生させるステップと、
（ｃ）制御部を使用することにより第１のアナログ信号を第１のデジタル信号に変換するステップと、
（ｄ）第１のデジタル信号で第１の警報器または第１の警報灯とを作動させるステップとを含んでいる、水漏れ検出方法。
【請求項２】
ステップ（ｃ）は、（１）第１のアナログ信号を第１の８ビットデジタル信号に変換するステップと、（２）第１の８ビットのデジタル信号を、論理レベル“１”である第１のデジタル信号に変換するステップとをさらに含む、請求項１に記載の方法。
【請求項３】
（ａ１）２つの分離した導線間で水漏れが検出されない場合、負端子にセンサーによって第２のアナログ信号を発生させるステップと、
（ｂ１）第２のアナログ信号を制御部により第２のデジタル信号に変換するステップと、
（ｃ１）第２のデジタル信号で発光装置を作動させるステップとをさらに含む、請求項１に記載の方法。
【請求項４】
ステップ（ｂ１）は、（１）第２のアナログ信号を、第２の８ビットデジタル信号に変換するステップと、（２）第２の８ビットのデジタル信号を、論理レベル“１”である第２のデジタル信号に変換するステップとをさらに含む、請求項３に記載の方法。
【請求項５】
（ａ２）２つの分離した導線が短絡している場合、負端子にセンサーによって第３のアナログ信号を発生させるステップと、
（ｂ２）第３のアナログ信号を制御部により第３のデジタル信号に変換するステップと、
（ｃ２）第３のデジタル信号で第２の警報器または第２の警報灯を作動させるステップとをさらに含む、請求項３に記載の方法。
【請求項６】
ステップ（ｂ２）は、（１）第３のアナログ信号を、第３の８ビットデジタル信号に変換するステップと、（２）第３の８ビットのデジタル信号を、論理レベル“１”である第３のデジタル信号に変換するステップとをさらに含む、請求項５に記載の方法。
【請求項７】
水漏れが発生しているかどうかをセンサーによって検出するとともに、上記センサーは２つの開放端子と２つの接続端子とを備える２つの分離した導線を有しており、検出信号は２つの接続線を経由して制御部によってセンサーに供給されるステップ１と、
水漏れが２つの分離した導線間で検出された場合、２つの接続端子のうちの負端子に第１のアナログ信号を発生させるステップ２と、
制御部を使用することにより第１のアナログ信号を第１のデジタル信号に変換するステップ３と、
第１のデジタル信号で第１の警報器または第１の警報灯を作動させるステップ４とを行うためにコンピューターによって実行されるプログラムが記録されたコンピューターで読み取り可能な媒体。
【請求項８】
（ａ）センサーによって水漏れが発生しているかどうかを検出するとともに、上記センサーは２つの分離した導線と端子抵抗とを備え、２つの分離した導線の２つの端子は端子抵抗の２つの端子に接続されており、制御部によって２つの分離した導線の他の２つの端子を経由して検出信号をセンサーに供給するステップと、
（ｂ）２つの分離した導線間で水漏れが検出された場合、２つの分離した導線の他の２つの端子のうちの負端子に第１のアナログ信号を発生させるステップと、
（ｃ）制御部により第１アナログ信号を第１のデジタル信号に変換するステップと、
（ｄ）第１の警報器または第１の警報灯を作動させるするステップとを含んでいる、水漏れ検出方法。
【請求項９】
ステップ（ｃ）は、（１）第１のアナログ信号を、第１の８ビットデジタル信号に変換するステップと、（２）第１の８ビットのデジタル信号を、論理レベル“１”である第１のデジタル信号に変換するステップとをさらに含む請求項８に記載の方法。
【請求項１０】
（ａ１）水漏れが２つの分離した導線間で検出されない場合、センサーによって負端子に第２のアナログ信号を発生させるステップと、
（ｂ１）制御部により第２のアナログ信号を第２のデジタル信号に変換するステップと、
（ｃ１）第２のデジタル信号で発光装置を作動させるステップとをさらに含む、請求項８に記載の方法。
【請求項１１】
ステップ（ｂ１）は、（１）第２のアナログ信号を、第２の８ビットデジタル信号に変換するステップと、（２）第２の８ビットのデジタル信号を、論理レベル“１”である第２のデジタル信号に変換するステップとをさらに含む、請求項１０に記載の方法。
【請求項１２】
（ａ２）２つの分離した導線が短絡された場合、センサーによって負端子に第３のアナログ信号を発生させるステップと、
（ｂ２）制御部によって第３のアナログ信号を第３のデジタル信号に変換するステップと、
（ｃ２）第３のデジタル信号で第２の警報器または第２の警報灯を作動させるステップとをさらに含む、請求項８に記載の方法。
【請求項１３】
ステップ（ｂ２）は、（１）第３のアナログ信号を第３の８ビットデジタル信号に変換するステップと、（２）第３の８ビットのデジタル信号を、論理レベル“１”である第３のデジタル信号に変換するステップとをさらに含む、請求項１２に記載の方法。
【請求項１４】
（ａ３）センサーが開回路となっている場合、センサーによって負端子に第４のアナログ信号を発生させるステップと、
（ｂ３）制御部によって第４のアナログ信号を第４のデジタル信号に変換するステップと、
（ｃ３）第４のデジタル信号で第３の警報器または第３の警報灯を作動させるステップとをさらに含む、請求項８に記載の方法。
【請求項１５】
ステップ（ｂ３）は、（１）第４のアナログ信号を第４の８ビットデジタル信号に変換するステップと、（２）第４の８ビットのデジタル信号を、論理レベル“１”である第４のデジタル信号に変換するステップとをさらに含む、請求項１４に記載の方法。
【請求項１６】
センサーによって水漏れが発生しているかどうかを検出するとともに、上記センサーは２つの分離した導線と端子抵抗とを備え、２つの分離した導線の２つの端子は端子抵抗の２つの端子に接続されており、制御部によって２つの分離した導線の他の２つの端子を経由して検出信号をセンサーに供給するステップ１と、
２つの分離した導線間で水漏れが検出された場合、２つの分離した導線の他の２つの端子のうちの負端子に第１のアナログ信号を発生させるステップ２と、
制御部によって第１のアナログ信号を第１のデジタル信号に変換するステップ３と、
第１の警報器または第１の警報灯を作動させるステップ４とを行うためにコンピューターによって実行されるプログラムが記録されたコンピューターで読み取り可能な媒体。
【請求項１７】
第１の警報器または第１の警報灯と、センサーと、信号発信器と、制御部とを備え、
上記センサーは、２つの開放端子と２つの接続端子を有する２つの分離した導線を備えており、水漏れが２つの分離した導線間で検出された場合、２つの接続端子のうちの負端子で第１のアナログ信号が発生されるものであり、
上記信号発信器は、検出信号をセンサーに供給するために、センサーの２つの接続端子に接続され、
上記制御部は、第１のアナログ信号を第１のデジタル信号に変換するために、２つの接続端子のうちの負端子と、第１の警報器または第１の警報灯とに接続されており、第１のデジタル信号は第１の警報器または第１の警報灯を作動させるために使用されている、水漏れ検出器。
【請求項１８】
さらに発光装置を備え、２つの分離した導線間で水漏れが検出されない場合、２つの接続端子のうちの負端子で第２のアナログ信号が発生されるとともに、第２のアナログ信号は制御部によって第２のデジタル信号に変換され、上記発光装置は第２のデジタル信号によって作動されている、請求項１７に記載の水漏れ検出器。
【請求項１９】
さらに第２の警報器または第２の警報灯を備え、２つの分離した導線が短絡された場合、２つの接続端子のうちの負端子で第３のアナログ信号が発生されるとともに、第３のアナログ信号は制御部によって第３のデジタル信号に変換され、第２の警報器または第２の警報灯は第３のデジタル信号によって作動されている、請求項１７に記載の水漏れ検出器。
【請求項２０】
制御部は、第１、第２または第３のアナログ信号を８ビットのデジタル信号に変換するアナログ／デジタル変換器と、８ビットのデジタル信号を第１、第２または第３のデジタル信号に変換する論理回路とを備える、請求項１７〜１９のいずれか１項に記載の水漏れ検出器。
【請求項２１】
第１の警報器または第１の警報灯と、センサーと信号発信器と制御部とを備え、
上記センサーは、２つの分離した導線と１つの端子抵抗とを備え、上記２つの分離した導線の２つの端子は端子抵抗の２つの端子に接続されており、
２つの分離した導線間で水漏れが検出された場合、２つの分離した導線の他の２つの端子のうちの負端子で第１のアナログ信号が発生されるとともに、
上記信号発信器は、センサーに検出信号を供給するために２つの分離した導線の他の２つの端子に接続されており、
上記制御部は、第１のアナログ信号を第１のデジタル信号に変換するために、２つの分離した導線の他の２つの端子のうちの負端子と、第１の警報器または第１の警報灯とに接続され、第１の警報器または第１の警報灯は第１のデジタル信号によって作動されている、水漏れ検出器。
【請求項２２】
さらに発光装置を備え、２つの分離した導線間で水漏れが検出されない場合、２つの分離した送電の他の２つの端子のうちの負端子で第２のアナログ信号が発生されるとともに、第２のアナログ信号は制御部によって第２のデジタル信号に変換され、発光装置は第２のデジタル信号によって駆動されている、請求項２１に記載の水漏れ検出器。
【請求項２３】
さらに第２の警報器または第２の警報灯を備え、２つの分離した導線が短絡されている場合、２つの分離した導線の他の２つの端子のうちの負端子で第３のアナログ信号が発生されるとともに、第３のアナログ信号は制御部によって第３のデジタル信号に変換され、第２の警報器または第２の警報灯が第３のデジタル信号によって作動されている、請求項２１に記載の水漏れ検出器。
【請求項２４】
さらに第３の警報器または第３の警報灯を備え、２つの分離した導線が開回路になっている場合、２つの分離した導線の他の２つの端子のうちの負端子で第４のアナログ信号が発生されるとともに、第４のアナログ信号は制御部により第４のデジタル信号に変換され、第３の警報器または第３の警報灯は第４のデジタル信号により作動されている、請求項２１に記載の水漏れ検出器。
【請求項２５】
上記制御部は、第１、第２、第３または第４のアナログ信号を８ビットのデジタル信号に変換するアナログ／デジタル変換器と、８ビットのデジタル信号を第１、第２、第３または第４のデジタル信号に変換する論理回路とを含んでいる、請求項２１〜２４のいずれか１項に記載の水漏れ検出器。
【発明の詳細な説明】
【技術分野】
【０００１】
本発明は、水漏れを検出する感度や正確性およびセンサーの短絡回路や開回路を増大させるために検出されたアナログ信号をデジタル信号に変換する、水漏れ検出方法と水漏れ検出器とに関するものであって、これにより水漏れ検出の精度を高めることができるとともに外部環境からの干渉により引き起こされる誤操作を防ぐことができる。
【背景技術】
【０００２】
装置の製造装置において、水は一般に洗浄や冷却の目的で使われている。水漏れが起こった場合、水漏れは装置の操作の異常および／または製品に対する損害さえ引き起こす。この問題を解決するため、図１に示されている、従来の水漏れ検出器は、装置に水漏れの問題があるかどうかを検出するために使用されている。図１に示すように、従来の水漏れ検出器は、センサー１０と、制御部１４と警報器１８とを備えている。制御部１４は、トランジスタ１５と、抵抗１６と電源１７とからなる。センサー１０は、２つの分離した導線１１と覆い１２とを備えており、２つの分離した導線１１は２つの開放端子と２つの接続端子とを備えている。
トランジスタ１５のベースとエミッタと、２つの接続端子と、抵抗１６と電源１７とは電気的に直列接続されている。トランジスタ１５のコレクターとエミッタと、電源１７と警報器１８とは電気的に直列接続されている。覆い１２は、２つの分離した導線１１を覆うために使用され、２つの分離した導線１１のいくつかの部分は露出されて複数の電極９を形成している。
【０００３】
漏れた水２０が電極１１のいずれかで検出されると、センサー１０と抵抗１６と、トランジスタ１５のベースとエミッタとを流れる電流が発生し、トランジスタ１５を作動させる。このとき、警報器１８が作動され、水漏れの発生を操作者に警告する。
【発明の開示】
【発明が解決しようとする課題】
【０００４】
従来の水漏れ検出器は、検出されたアナログ信号を使用して直接トランジスタ１５を駆動させ、それから警報装置１８を作動させるため、外部環境からの干渉に影響されやすく、誤操作を招く結果となる。この結果、水漏れが正確に検出されなくなる。
【課題を解決するための手段】
【０００５】
本発明は、水漏れおよびセンサーの短絡回路や開回路を検出する感度や正確性を増大させるために、検出されたアナログ信号をデジタル信号に変換する、水漏れ検出方法と水漏れ検出器とを提供するものであって、これにより水漏れ検出の精度を高めることができるとともに、外部環境からの干渉により引き起こされる誤操作を防ぐことができる。
【０００６】
本発明の水漏れ検出方法は、（ａ）水漏れが発生しているかどうかをセンサーを使用することにより検出するとともに、上記センサーは２つの開放端子と２つの接続端子とを備える２つの分離した導線を有しており、検出信号を２つの接続線を経由して制御部によってセンサーに供給するステップと、（ｂ）水漏れが２つの分離した導線間で検出された場合、第１のアナログ信号を２つの接続端子のうちの負端子で発生させるステップと、（ｃ）制御部を使用することにより第１のアナログ信号を第１の８ビットデジタル信号に変換するステップと、（ｄ）第１のデジタル信号で第１の警報器または第１の警報灯とを作動させるステップとを含んでいる。
【０００７】
本発明によると、別の水漏れ検出方法は、（ａ）センサーによって水漏れが発生しているかどうかを検出するとともに、上記センサーは２つの分離した導線と端子抵抗とを備え、２つの分離した導線の２つの端子は端子抵抗の２つの端子に接続されており、制御部によって２つの分離した導線の他の２つの端子を経由して検出信号をセンサーに供給するステップと、（ｂ）２つの分離した導線間で水漏れが検出された場合、２つの分離した導線の他の２つの端子のうちの負端子に第１のアナログ信号を発生させるステップと、（ｃ）制御部により第１アナログ信号を第１のデジタル信号に変換するステップと、（ｄ）第１の警報器または第１の警報灯を作動するステップとを含んでいる。
【０００８】
本発明の水漏れ検出器は、第１の警報器または第１の警報灯と、センサーと信号発信器と制御部とから構成されており、上記センサーは、２つの開放端子と２つの接続端子とを備える２つの分離した導線を有しており、２つの分離した導線間で水漏れが検出されると、２つの分離した導線の２つの接続端子のうちの負端子で第１のアナログ信号が発生されるものであり、上記信号発信器は、センサーに検出信号を供給するために２つの分離した導線の２つの接続端子に接続され、上記制御部は、第１のアナログ信号を第１のデジタル信号に変換するために、２つの接続端子のうちの負端子と、第１の警報器または第１の警報灯とに接続されており、第１のデジタル信号は第１の警報器または第１の警報灯を駆動させるために使用されている。
【０００９】
本発明によれば、水漏れ検出器は、第１の警報器または第１の警報灯と、センサーと信号発信器と制御部とから構成されており、上記センサーは、２つの分離した導線と、１つの端子抵抗とを備え、２つの分離した導線の２つの端子は端子抵抗の２つの端子に接続されており、２つの分離した導線間で水漏れが検出されると、２つの分離した導線の他の２つの端子のうちの負端子で第１のアナログ信号が発生される。上記信号発信器は、検出信号をセンサーに供給するために２つの分離した導線の他の２つの端子に接続されており、上記制御部は、第１のアナログ信号を第１のデジタル信号に変換するために、２つの分離した導線の他の２つの端子のうちの負端子と、第１の警報器または第１の警報灯とに接続され、第１のデジタル信号により第１の警報器または第１の警報灯が作動される。
【発明の効果】
【００１０】
水漏れ検出方法および水漏れ検出器の利点は、水漏れおよびセンサーの短絡回路や開回路を検出する感度や正確性増大させるためにアナログ信号をデジタル信号に変換し、これにより水漏れ検出の精度を高めるとともに、外部環境からの干渉による誤操作を防止することにある。
【発明を実施するための最良の形態】
【００１１】
図２は、本発明の第１の実施形態にかかる水漏れ検出器を示している。水漏れ検出器は、センサー３０と、信号発信器３５と、制御部３４と、第１の警報器または第１の警報灯３８と、発光装置３９と、第２の警報器または第２の警報灯４０とを含んでなる。センサー３０は、４５０メートルの長さで、２つの分離した導線３１と覆い３２とを備えている。２つの分離した導線３１は２つの開放端子と２つの接続端子とを備えている。覆い３２は２つの分離した導線３１を覆うために使用され、２つの分離した導線３１のいくつかの部分は露出され複数の電極２９を形成している。
【００１２】
信号発信器３５は、センサー３０に検出信号（例えば１２Ｖの電圧のパルス信号）を供給するために２つの分離した導線３１の２つの接続端子に電気的に接続されている。制御部３４は、アナログ／デジタル変換器３６と論理回路３７とを備え、アナログ／デジタル変換器３６の入力端子は２つの接続端子のうちの負端子に電気的に接続され、アナログ／デジタル変換器３６の出力端子は、論理回路３７の入力端子に電気的に接続されている。さらに、論理回路３７の出力端子は第１の警報器または第１の警報灯３８と、発光装置３９と、第２の警報器または第２の警報灯４０とに電気的に接続されている。
【００１３】
図２に示すように、装置のセンサー３０の電極２９で水漏れが検出された場合、２つの分離した導線３１のうちの負端子で第１のアナログ信号が発生され、第１のアナログ信号の電圧は０．５６〜１０．６０Ｖの範囲である。第１のアナログ信号の電圧は水漏れが検出された電極２９の位置および水漏れの量によって決まる。一般に、電極２９の位置が負端子から遠くなるほど、または水漏れの量が少なくなるほど、第１のアナログ信号の電圧も小さくなる。このとき、アナログ／デジタル変換器３６は第１のアナログ信号（０．５６〜１０．６０Ｖ）を８ビットのデジタル信号（１２から２２６の間の値）に変換する。論理回路３７は８ビットのデジタル信号を処理して第１のデジタル信号（例えば、論理レベル“１”）を発生させる。その後、第１の警報器または第１の警報灯３８が第１のデジタル信号により作動され、これにより水漏れの発生を操作者に警告する。
【００１４】
上記装置の電極２９で水漏れが検出されない場合には、２つの分離した導線３０のうちの負端子で第２のアナログ信号が発生され、第２のアナログ信号の電圧は０．３９〜０．５５Ｖの範囲である。第２のアナログ信号の電圧はセンサー３０についた埃などによって決まる。換言すれば、埃が少なくなるほど、第２のアナログ信号の電圧は小さくなる。同様に、アナログ／デジタル変換器３６は第２のアナログ信号（０．３９〜０．５５Ｖ）を８ビットのデジタル信号（０から８の間の値）に変換する。論理回路３７は８ビットのデジタル信号を処理して第２のデジタル信号（例えば、論理レベル“１”）を発生させる。その後、発光装置３９が第２のデジタル信号により作動され、これにより装置が通常の状態で作動していることを示す。
【００１５】
電極２９のひとつが外部の物体または外力により短絡されている場合、２つの分離した導線３１のうちの負端子で第３のアナログ信号が発生され、第３のアナログ信号の電圧は１０．６１〜１２．００Ｖの範囲である。第３のアナログ信号の電圧は、電極２９の短絡の位置や程度によって決まる。一般に、電極２９の短絡の位置が負端子から遠くなるほど、そして電極２９の短絡の程度が弱くなるほど、上記３つのアナログ信号の電圧は小さくなる。同様に、アナログ／デジタル変換器３６は、第３のアナログ信号（１０．６１〜１２．００Ｖ）を８ビットのデジタル信号（２２７から２５５の間の値）に変換する。論理回路３７は８ビットのデジタル信号を処理して第３のデジタル信号（例えば、論理レベル“１”）を発生させる。その後、第２の警報器または第２の警報灯４０が第３のデジタル信号により駆動され、これによりセンサー３０の短絡の発生を操作者に警告する。
【００１６】
図３は、本発明の第２の実施形態にかかる水漏れ検出器を示している。水漏れ検出器は、センサー５０と、信号発信器５５と制御部５４と、第１の警報器または第１の警報灯５８と、発光装置５９と、第２の警報器または第２の警報灯６０と、第３の警報器または第３の警報灯６１とから構成されている。センサー５０は、４５０メートルの長さで、２つの分離した導線５１と、端子抵抗５３と覆い５２とを備えており、２つの分離した導線５１の２つの端子は、端子抵抗５３の２つの端子とそれぞれ電気的に接続されている。覆い５２は２つの分離した導線５１を覆うために使用されており、２つの分離した導線５１のいくつかの部分は露出され、複数の電極４９を形成している。
【００１７】
信号発信器５５の出力端子は、検出信号（例えば、１２Ｖの電圧のパルス信号）をセンサー５０に供給するために電気的に２つの分離した導線５１の他の２つの端子に電気的に接続されている。制御部５４は、アナログ／デジタル変換器５６と論理回路５７とからなり、アナログ／デジタル変換器５６の入力端子は、他の２つの端子のうちの負端子に電気的に接続されているとともに、アナログ／デジタル変換器５６の出力端子は論理回路５７の入力端子に電気的に接続されている。さらに、論理回路５７の出力端子は、第１の警報器または第１の警報灯５８と、発光装置５９と、第２の警報器または第２の警報灯６０と、第３の警報器または第４の警報灯６１とに電気的に接続されている。
【００１８】
図３に示すように、装置のセンサー５０の電極４９で水漏れが検出されると、２つの分離した導線５１のうちの負端子で第１のアナログ信号が発生され、第１のアナログ信号の電圧は０．５６〜１０．６０Ｖの範囲である。第１のアナログ信号の電圧は、水漏れが検出された電極４９の位置や、水漏れの量によって決まる。一般に、電極４９の位置が負端子から遠くなるほど、そして水漏れの量が少なくなるほど、第１のアナログ信号の電圧は小さくなる。このとき、アナログ／デジタル変換器５６は第１のアナログ信号（０．５６〜１０．６０Ｖ）を８ビットのデジタル信号（１２から２２６の間の値）に変換する。論理回路５７は８ビットのデジタル信号を処理して第１のデジタル信号（例えば、論理レベル“１”）を発生させる。その後、第１の警報器または第１の警報灯５８が第１のデジタル信号により駆動され、これにより水漏れの発生を操作者に警告する。
【００１９】
電極４９で水漏れが検出されない場合には、２つの分離した導線５１のうちの負端子で発生し、第２のアナログ信号の電圧は０．３９〜０．５５Ｖの範囲である。第２のアナログ信号の電圧はセンサー５０についた埃によって決まる。換言すれば、埃が少なくなるほど、第２のアナログ信号の電圧は小さくなる。同様に、アナログ／デジタル変換器５６は第２のアナログ信号（０．３９〜０．５５Ｖ）を８ビットのデジタル信号（８から１１の間の値）に変換する。論理回路５７は８ビットのデジタル信号を処理して第２のデジタル信号（例えば、論理レベル“１”）を発生させる。その後、発光装置５９が第２のデジタル信号により駆動され、これにより装置が通常の状態で作動していることを示す。
【００２０】
電極４９のひとつが外部の物体または外力によって短絡された場合、２つの分離した導線５１のうちの負端子で第３のアナログ信号が発生され、第３のアナログ信号の電圧は１０．６１〜１２．００Ｖの範囲である。第３のアナログ信号の電圧は、電極４９の短絡の位置や程度によって決まる。一般的に、電極４９の短絡の位置が負端子から遠くなるほど、そして電極４９の短絡の程度が弱くなるほど、上記３つのアナログ信号の電圧は小さくなる。同様に、アナログ／デジタル変換器５６は、第３のアナログ信号（１０．６１〜１２．００Ｖ）を８ビットのデジタル信号（２２７から２５５の間の値）に変換する。論理回路５７は８ビットのデジタル信号を処理して第３のデジタル信号（例えば、論理レベル“１”）を発生させる。その後、第２の警報器または第２の警報灯６０が第３のデジタル信号により駆動され、これによりセンサー５０の短絡の発生を操作者に警告する。
【００２１】
２つの分離した導線が外力により開回路となる場合、２つの分離した導線５１のうちの負端子で第４のアナログ信号が発生され、第４のアナログ信号の電圧は０．００〜０.３８Ｖの範囲である。第４のアナログ信号の電圧は、２つの分離した導線５１の開回路の程度によって決まる。一般に、２つの分離した導線５１の開回路の程度が大きいほど、第４のアナログ信号の電圧は小さくなる。同様に、アナログ／デジタル変換器５６は第４のアナログ信号（０．００〜０.３８Ｖ）を８ビットのデジタル信号（０から８の間の値）に変換する。論理回路５７は８ビットのデジタル信号を処理して第４のデジタル信号を発生させる。その後、第３の警報器または第３の警報灯６１が第４のデジタル信号により駆動され、これによりセンサー５０の開回路の発生を操作者に警告する。
【００２２】
図４は、本発明の第３の実施形態にかかる水漏れ検出方法を示している。まず、ステップＳ６０で、センサーが調整され、上記センサーは４５０メートルの長さで、２つの開放端子と２つの接続端子とを備える２つの分離した導線、すなわち、それぞれ１つの開放端子と１つの接続端子とを備えている、２つの分離した導線を有している。そして、検出信号（例えば、１２Ｖの電圧のパルス信号）は、信号発信器により２つの接続端子を通してセンサーに供給される。ステップＳ６１を行う場合、２つの分離した導線間で水漏れが検出されると、２つの接続端子のうちの負端子で第１のアナログ信号が発生され、第１のアナログ信号の電圧は０．５６〜１０．６０Ｖの範囲である。次に、ステップＳ６２を行うと、第１のアナログ信号が制御部により第１のデジタル信号に変換される。それから、ステップＳ６３を行うと、第１の警報器または第１の警報灯が第１のデジタル信号により駆動され、これにより操作者に水漏れの発生を警告する。さらに、ステップＳ６２はまた、（１）第１のアナログ信号を第１の８ビットデジタル信号（１２〜２２６の値）に変換するステップと、（２）第１の８ビットのデジタル信号を、論理レベル“１”である第１のデジタル信号に変換するステップとを含んでいる。
【００２３】
ステップＳ６１では、２つの分離した導線間で水漏れが検出されない場合、センサーの負端子で第２のアナログ信号が発生され、第２のアナログ信号の電圧は０．３９〜０．５５Ｖの範囲である。次に、ステップＳ６４を行うと、第２のアナログ信号は制御部により第２のデジタル信号に変換される。その後、ステップ６５を行うと、発光装置は第２のデジタル信号によって駆動され、これにより、装置が通常の状態で作動していることを示す。さらに、ステップＳ６４は、（１）第２のアナログ信号を第２の８ビット信号（８〜１１の値）に変換するステップと、（２）第２の８ビットデジタル信号を、論理レベル“１”である第２のデジタル信号に変換するステップとを含んでいる。
【００２４】
ステップ６１で、２つの分離した導線が短絡されている場合には、センサーの負端子で第３のアナログ信号が発生され、第３のアナログ信号の電圧は１０．６１〜１２．００Ｖの範囲である。次に、ステップＳ６６を行うと、第３のアナログ信号は制御部によって第３のデジタル信号に変換される。その後、ステップＳ６７を行うと、第２の警報器または第２の警報灯は第３のデジタル信号により駆動され、これによりセンサーの短絡の発生を操作者に警告する。ステップＳ６６はさらに（１）第３のアナログ信号を第３の８ビットの信号（２２７〜２５５の間の値）に変換するステップと、（２）第３の８ビットのデジタル信号を、論理レベル“１”である第３のデジタル信号に変換するステップとを含んでいる。
【００２５】
図５は、本発明の第４の実施形態に係る水漏れ検出方法を示している。まず、ステップＳ７０で、センサーと信号発信器とが調整される。センサーには２つの分離した導線と端子抵抗とが備えられ、２つの分離した導線の２つの端子はそれぞれ端子抵抗の２つの端子に電気的に接続されているとともに、信号発信器は２つの分離した導線の他の２つの端子を通して検出信号（例えば、１２Ｖの電圧のパルス信号）をセンサーに供給する。ステップＳ７１を行う場合、２つの分離した導線間で水漏れが検出されると、２つの分離した導線の他の２つの端子のうちの負端子で第１のアナログ信号が発生され、第１のアナログ信号の電圧は、０．５６〜１０．６０Ｖの範囲である。次に、ステップＳ７２を行うと、第１のアナログ信号は制御部により第１のデジタル信号に変換される。その後、ステップ７３を行うと、第１の警報器または第１の警報灯は第１のデジタル信号によって作動され、これにより水漏れの発生を操作者に警告する。なお、ステップＳ７２はさらに（１）第１のアナログ信号を第１の８ビットのデジタル信号（１２〜２２６の値）に変換するステップと、（２）第１の８ビットのデジタル信号を、論理レベル“１”である第１のデジタル信号に変換するステップとを含んでいる。
【００２６】
ステップＳ７１で、２つの分離した導線間で水漏れが検出されない場合は、センサーの負端子で第２のアナログ信号が発生され、第２のアナログ信号の電圧は０．３９〜０，５５Ｖの範囲である。次に、ステップＳ７５で、第２のアナログ信号は制御部によって第２のデジタル信号に変換される。その後、ステップＳ７６で、発光装置は第２のデジタル信号により駆動され、これにより装置が通常の状態で作動していることを示す。さらにステップＳ７５は、（１）第２のアナログ信号を第２の８ビットのデジタル信号（８〜１１の値）に変換するステップと、（２）第２の８ビットのデジタル信号を、論理レベル“１”である第２のデジタル信号に変換するステップとを含んでいる。
【００２７】
さらに、上記方法は、２つの分離した導線が短絡されているかまたは開回路になっているかどうかを検出するためにステップＳ７４を行う構成である。２つの分離した導線が短絡している場合、センサーの負端子で第３のアナログ信号が発生され、第３のアナログ信号の電圧は１０．６１〜１２．００Ｖの範囲である。次に、ステップＳ７７を行うと、第３のアナログ信号は制御部によって第３のデジタル信号に変換される。その後、ステップＳ７８を行うと、第３のデジタル信号によって第２の警報器または第２の警報灯が作動され、これによりセンサーの短絡の発生を操作者に警告する。ステップＳ７７はさらに（１）第３のアナログ信号を第３の８ビットのデジタル信号（２２７〜２５５の値）に変換するステップと、（２）第３の８ビットのデジタル信号を、論理レベル“１”である第３のデジタル信号に変換するステップとを含んでいる。
【００２８】
ステップ７４では、２つの分離した導線が開回路になると、第４のアナログ信号がセンサーの負端子で発生し、第４のアナログ信号の電圧は０．００〜０．３８Ｖの範囲である。次に、ステップＳ７９を行う場合、第４のアナログ信号は制御部によって第４のデジタル信号に変換される。その後、第４のデジタル信号で第３の警報器または第３の警報灯を駆動するためにステップＳ８０が行われ、これによりセンサーの開回路の発生を操作者に警告する。さらに、ステップＳ７９はさらに（１）第４のアナログ信号を第４の８ビット信号（０〜８の間の値）に変換するステップと、（２）第４の８ビットデジタル信号を論理レベル“１”である第４のデジタル信号に変換するステップとを含んでいる。
【００２９】
水漏れ検出方法や水漏れ検出器の利点は、検出されたアナログ信号をデジタル信号（例えば、１２Ｖが２５５分割されている）に変換することで、水漏れおよびセンサーの短絡や開回路を検出する感度や正確性を増大させる点にあり、これにより水漏れ検出の精度を高めるとともに、外部環境からの干渉による誤操作を防止する。
【００３０】
本発明は、実施例や好ましい実施形態を用いて説明されているが、本発明は開示された実施形態に限定されるものではないことは理解できるであろう。逆に、当業者にとって明白であるように、本発明は種々の変更や同様の構成を含むことが意図されている。それゆえ、添付されている請求項の範囲は、そのような変更や同様の構成全てを含むように最も幅広く解釈されることがふさわしい。
【図面の簡単な説明】
【００３１】
【図１】従来の水漏れ検出器を示す回路のブロック図である。
【図２】本発明の第１の実施形態に係る水漏れ検出器を示す回路ブロック図である。
【図３】本発明の第２の実施形態に係る水漏れ検出器を示す回路ブロック図である。
【図４】本発明の第３の実施形態に係る水漏れ検出方法を示すフローチャートである。
【図５】本発明の第４の実施形態に係る水漏れ検出方法を示すフローチャートである。
【符号の説明】
【００３２】
２９  電極
３０  センサー
３１  ２つの分離した導線
３２  覆い
３４  制御部
３５  信号発信器
３６  アナログ／デジタル変換器
３７  論理回路
３８  第１の警報器または第１の警報灯
３９  発光装置
４０  第２の警報器または第２の警報灯
【図１】
2005012746.tif 000003
【図２】
2005012746.tif 000004
【図３】
2005012746.tif 000005
【図４】
2005012746.tif 000006
【図５】
2005012746.tif 000007